(57)【要約】【課題】容易な日本語入力構造を有する移動通信端末機を提供する。且つ、日本語５０音図の行と段に対応する入力構造を有するキーマトリックス構造を提供する。【解決手段】日本語５０音図の行と段に対応する入力構造を有するキーマトリックス２０は、入力する文字の行を選択するための複数の数字キー１−０と、入力する文字の段を選択するための複数の特殊キー２３−２６と、それら数字キー１−０と特殊キー２３−２６との組合により入力された基本文字を濁音及び半濁音に転換するための第１転換キー２１と、前記数字キー１−０と特殊キー２３−２６との組合により入力された基本文字を長音、拗音及び促音に転換するための第２転換キー２２と、平仮名と片仮名間の転換機能を遂行する第３転換キー２７と、を包含して移動通信端末機を構成する。【選択図】　図２
2004062863.tif 000002
【特許請求の範囲】
【請求項１】
日本語５０音図の行と段に対応する入力構造を有するキーマトリックスと、
日本語フォントが格納されたメモリーと、
キーマトリックスのキー入力組合に対応する日本語フォントをメモリーから選択して表す制御器と、を含んで構成されて、前記キーマトリックスは、
入力する文字の行を選択するための複数の数字キーと、
入力する文字の段を選択するための複数の特殊キーと、
それら数字キーと特殊キーとの組合により入力された基本文字を濁音及び半濁音に転換するための第１転換キーと、
前記数字キーと特殊キーとの組合により入力された基本文字を長音、拗音及び促音に転換するための第２転換キーと、
平仮名と片仮名間の転換機能を遂行する第３転換キーと、から構成されることを特徴とする移動通信端末機。
【請求項２】
前記第１、第２転換キーは、’＊’キーまたは’＃’キーから任意に選択されることを特徴とする請求項１記載の移動通信端末機。
【請求項３】
日本語５０音図から入力する文字の行を選択するための複数の数字キーと、
前記入力する文字の段を選択するための複数の特殊キーと、
それら数字キーと特殊キーとの組合により入力された基本文字を濁音及び半濁音に転換するための第１転換キーと、
前記数字キーと特殊キーとの組合により入力された基本文字を長音、拗音及び促音に転換するための第２転換キーと、
平仮名と片仮名間の転換機能を遂行する第３転換キーと、から構成されることを特徴とする移動通信端末機のキーマトリックス。
【請求項４】
前記第１、第２転換キーは、’＊’キーまたは’＃’キーから任意に選択されることを特徴とする請求項３記載の移動通信端末機のキーマトリックス。
【請求項５】
前記第１転換キーは、
１回のキー入力で、’か’、’さ’、’た’及び’は’行の基本文字を濁音に転換させ、２回のキー入力で、’は’行の基本文字を半濁音に転換させることを特徴とする請求項３記載の移動通信端末機のキーマトリックス。
【請求項６】
前記第２転換キーは、
１回のキー入力で、基本文字（や、ゆ、よ、つ）を拗音または促音に転換させることを特徴とする請求項３記載の移動通信端末機のキーマトリックス。
【請求項７】
前記促音は、
’た’行を指定する数字キーと２回の第２転換キー入力で直接入力されることを特徴とする請求項６記載の移動通信端末機のキーマトリックス。
【請求項８】
前記第２転換キーは、
２回のキー入力で基本文字（あ、い、う、え、お）を長音に転換させることを特徴とする請求項３記載の移動通信端末機のキーマトリックス。
【請求項９】
日本語入力モードで、数字キーを利用して入力する文字の行を選択する過程と、
該選択された行で、特殊キーを利用して前記入力する文字の段を選択する過程と、
日本語５０音図で、前記数字キーと特殊キーのキー入力組合に対応する基本文字を表示する過程と、
該表示された基本文字を転換キーを利用して濁音、半濁音、長音、促音、拗音中何れか一つに転換させる過程と、を順次行うことを特徴とする移動通信端末機の日本語入力方法。
【請求項１０】
前記特殊キーは、
それぞれ’い’、’う’、’え’及び’お’段を指定するためのキー中何れか一つであることを特徴とする請求項９記載の移動通信端末機の日本語入力方法。
【請求項１１】
前記転換過程は、
第１転換キーで基本文字を濁音または半濁音に転換させる過程と、
第２転換キーで基本文字を長音、促音、拗音中何れか一つに転換させる過程と、
０番の数字キーを２回押して’ん’を入力する過程と、を行うことを特徴とする請求項９記載の移動通信端末機の日本語入力方法。
【請求項１２】
前記第１、第２転換キーは、’＊’キーまたは’＃’キーから任意に選択されることを特徴とする請求項１１記載の移動通信端末機の日本語入力方法。
【請求項１３】
前記濁音は、
’か’、’さ’、’た’及び’は’行の基本文字から第１転換キーの１回入力により転換され、前記半濁音は、’は’行の文字から第１転換キーの２回入力により転換されることを特徴とする請求項１１記載の移動通信端末機の日本語入力方法。
【請求項１４】
前記拗音は、
基本文字（や、ゆ、よ）から第２転換キーの１回入力により転換され、前記促音は、基本文字（つ）から第２転換キーの１回入力により転換されることを特徴とする請求項１１記載の移動通信端末機の日本語入力方法。
【請求項１５】
前記促音は、
’た’行を指定する数字キーを押した後、第２転換キーを２回押して直接入力されることを特徴とする請求項１４記載の移動通信端末機の日本語入力方法。
【請求項１６】
前記長音は、
基本文字（あ、い、う、え、お）から第２転換キーの１回入力により転換されることを特徴とする請求項１１記載の移動通信端末機の日本語入力方法。
【発明の詳細な説明】
【０００１】
【発明の属する技術分野】
本発明は、移動通信端末機に係るもので、詳しくは、移動通信端末機の日本語入力装置及び方法に関するものである。
【０００２】
【従来の技術】
最近、移動通信端末機の急速な機能向上と通信網の柔軟な拡張によって、全世界を対象とする電子メールやインターネットサービスの利用が急速に増加されていて、特に、多様なチャットプログラムの利用が可能になった。
【０００３】
従って、多様なデータサービスの使用増加により、アルファベットを使用するラテン国家言語だけでなく、ハングル、日本語及び中国語等の入力も一層重要となってきた。それら言語中、地理的位置と文化交流の増大によって、日本語の入力方法の重要性が台頭されている。
【０００４】
日本語は、大きく漢字、平仮名及び片仮名で構成されている。平仮名は、漢字の草体に基づいて作られたもので、印刷、筆記を問わず全ての場合に使用することができ、片仮名は、外国語、外来語、擬声語、擬態語、動植物名、及び電報等に使用される。
【０００５】
図３及び図４は平仮名と片仮名の基本５０音図、濁音、半濁音、長音、促音及び拗音を示した図である。図中、括弧で表示された文字は現在使用されてない古語を示している。
【０００６】
図３及び図４に図示されたように、平仮名と片仮名の基本５０音図は、１０字の行と５字の段で構成されている。このような配列に従って日本語文法が説明されるため、日本語使用者なら、各文字が何番目の行及び何番目の段であるかを熟知している。また、平仮名と片仮名には、基本５０音図以外に、基本文字にそれぞれ’゛’と’゜’を追加した濁音と半濁音が使用され、文字を小さくして長音、促音及び拗音が使用される。この時、片仮名は、用途が異なるだけで、発音と構成方法は平仮名と同様である。
【０００７】
従って、図３及び図４に示された各文字を移動通信端末機（以下、端末機と称す）に表示すると、漢字を除いた全ての日本語を表示することができ、漢字は平仮名で代用することができる。
【０００８】
現在、複数の端末機中、日本語入力機能を内蔵した端末機は未だに市販されておらず、コンピュータキーボードを利用した通常の日本語入力方法を端末機に適用する場合、端末機の制限的なキーマトリックスの大きさに影響を受ける。
【０００９】
まず、端末機を包括する文字入力装置の基本的な構成に対して説明する。
【００１０】
図５は英語、日本語及び中国語等ほとんどの文字体系に適用される基本的な文字入力装置の構成を示した図である。
【００１１】
図示されたように、文字入力装置は、中央プロセッサー１と、該中央プロセッサー１と連結されて複数のファンクションキーを備えたキーマトリックス２と、中央プロセッサー１及びキーマトリックス２と連結されて中央プロセッサー１の処理結果を表示し、キーマトリックス２の入力キー値を表示する液晶表示装置３と、中央プロセッサー１と連結されてフォントを内蔵するメモリー４と、を含んで構成されている。
【００１２】
前記キーマトリックス２を通して使用者のキー入力が印加されると、該入力されたキー値は、中央プロセッサー１で処理されて液晶表示装置３に表示されるが、この場合、入力された数字値はそのまま表示され、特定言語によるキー値はメモリー４に格納された文字フォントとの検索及び対照動作を通して所望のフォントに表示される。
【００１３】
従って、このように構成された文字入力装置は、移動通信端末機の構成であり、特定言語を日本語にすることもできる。
【００１４】
図６は日本三洋（ＳＡＮＹＯ）社の端末機に適用された従来のキーマトリックス構造を示した図である。
【００１５】
図示されたように、従来の端末機キーマトリックス１０は、平仮名の１０字の行を数字キー（１〜０）に割り当てる。即ち、１番キーには’あ’、２番キーには’か’、３番キーには’さ’などを割り当てる方法を利用して、平仮名５０音図中、’あ’行を各数字キーに割り当てた。
【００１６】
従って、前記キーマトリックス構造を利用して平仮名を入力する場合は、入力しようとする文字の属する’あ’行のキーを反復して押すことで各段の文字を入力することができる。例えば、’か’段の’か’、’き’、’く’、’け’、’こ’を入力する場合は、２番キーを段数に応じて押さなければならないが、最後の’こ’の場合は、２番キーを５回押して入力する。もし、失敗で２番キーを６回押した場合は、再び２番キーを４回押して’こ’を入力する。このような方法を利用して”おもしろい”という文章を入力する場合は、次のように’あ’行のキーを反復的に押す。
【００１７】
’お’は、数字キー１を５回押す（１、１、１、１、１）。
【００１８】
’も’は、数字キー７を５回押す（７、７、７、７、７）。
【００１９】
’し’は、数字キー３を２回押す（３、３）。
【００２０】
’ろ’は、数字キー９を５回押す（９、９、９、９、９）。
【００２１】
’い’は、数字キー１を２回押す（１、１）。
【００２２】
このように数字を押して５字の平仮名（”おもしろい”）を入力する。
【００２３】
従って、このような入力方法を利用して、５０音図内の平仮名をすべて入力することができる。また、濁音、半濁音、一般文字より小さく表現される長音、拗音及び促音などは記号を表すキーを通して入力する。このためには、濁音のために必要な’゛’、半濁音のために必要な’゜’を入力するためのキー入力が追加される。
【００２４】
従って、一般的に濁音と半濁音及び小さな文字は記号で分類されるため、まず、記号を表すメニューを選択した後、表れる記号中、キー操作で該当の文字を選択する。そして、平仮名と片仮名との相互変換は、平仮名、片仮名、数字、英語等のメニュー選択で遂行することができる。
【００２５】
【発明が解決しようとする課題】
然るに、従来の日本語入力方法においては、基本５０音図の各行を数字キーに対応させた後、これを重複して押すことで所望の段の文字を入力するため、キー入力が多く必要になるという短所があった。例えば、”おもしろい”を入力するためには、合わせて１９回キーを押さなければならなく、”お”の字が多く出てくる場合は、その分キー入力回数が増加されるという不都合な点があった。
【００２６】
また、文字入力中、キー入力回数のエラーによって次の段に移る場合は、文字入力を最初から始めるか、追加的なキー入力を通して後から引き戻すという煩雑さがあった。
【００２７】
且つ、従来の日本語入力方法においては、基本５０音図以外に、濁音、半濁音、長音、促音及び拗音等の入力のためにキー入力が一層増え、片仮名と平仮名間の変換もメニューキーの平仮名、片仮名、数字、英語等の反復入力によって遂行されるため、平仮名と片仮名間の変換が容易でないという不都合な点があった。
【００２８】
従って、普通の人が三洋社の提案したキーマトリックスを利用した、従来の日本語入力方法に熟達されるまでは多くの時間が必要となり、特に、機械操作に慣れてない中・壮年層の場合は、メニュー選択を通して記号を選択したり、文字種類を転換することが非常に困難であるという不都合な点があった。
【００２９】
本発明は、このような従来の課題に鑑みてなされたもので、容易な日本語入力構造を有する移動通信端末機を提供することを目的とする。
【００３０】
且つ、日本語５０音図の行と段に対応する入力構造を有するキーマトリックス構造を提供することを目的とする。
【００３１】
且つ、最小限のキー操作を通して所望の日本語を入力し得る移動通信端末機の日本語入力装置及び方法を提供することを目的とする。
【００３２】
【課題を解決するための手段】
このような目的を達成するため、本発明に係る移動通信端末機においては、日本語５０音図の行と段に対応する入力構造を有するキーマトリックスと、日本語フォントが格納されたメモリーと、キーマトリックスのキー入力組合に対応する日本語フォントをメモリーから選択して表す制御器と、を含んで構成されている。
【００３３】
前記キーマトリックスは、入力する文字の行を選択するための複数の数字キーと、入力する文字の段を選択するための複数の特殊キーと、数字キーと特殊キーとの組合により、入力された基本文字を濁音及び半濁音を転換するための第１転換キーと、数字キーと特殊キーとの組合により、入力された基本文字を長音、拗音及び促音に転換するための第２転換キーと、平仮名と片仮名間の転換機能を遂行する第３転換キーと、から構成されている。
【００３４】
且つ、本発明に係る移動通信端末機の日本語入力方法においては、日本語入力モードで、数字キーを利用して入力する文字の行を選択する過程と、該選択された行で、特殊キーを利用して前記入力する文字の段を選択する過程と、日本語５０音図で、前記数字キーと特殊キーとのキー入力組合に対応する基本文字を表示する過程と、該表示された基本文字を転換キーを利用して濁音、半濁音、長音、促音、拗音中何れか一つに転換させる過程と、を順次行う。
【００３５】
前記転換過程は、第１転換キーを反復入力して基本文字を濁音または半濁音に転換させる過程と、第２転換キーを反復入力して基本文字を長音、促音、拗音中何れか一つに転換させる過程と、を行い、前記第１、第２転換キーは’＊’キーまたは’＃’キーから任意に選択されることを特徴とする。
【００３６】
本発明の移動通信端末機は、日本語５０音図の行と段に対応する入力構造を有するキーマトリックスと、日本語フォントが格納されたメモリーと、キーマトリックスのキー入力組合に対応する日本語フォントをメモリーから選択して表す制御器と、を含んで構成されて、前記キーマトリックスは、入力する文字の行を選択するための複数の数字キーと、入力する文字の段を選択するための複数の特殊キーと、それら数字キーと特殊キーとの組合により入力された基本文字を濁音及び半濁音に転換するための第１転換キーと、前記数字キーと特殊キーとの組合により入力された基本文字を長音、拗音及び促音に転換するための第２転換キーと、平仮名と片仮名間の転換機能を遂行する第３転換キーと、から構成されることを特徴とする。
【００３７】
前記第１、第２転換キーは、’＊’キーまたは’＃’キーから任意に選択されることを特徴としてもよい。
【００３８】
本発明の移動通信端末機のキーマトリックスは、日本語５０音図から入力する文字の行を選択するための複数の数字キーと、前記入力する文字の段を選択するための複数の特殊キーと、それら数字キーと特殊キーとの組合により入力された基本文字を濁音及び半濁音に転換するための第１転換キーと、前記数字キーと特殊キーとの組合により入力された基本文字を長音、拗音及び促音に転換するための第２転換キーと、平仮名と片仮名間の転換機能を遂行する第３転換キーと、から構成されることを特徴とする。
【００３９】
前記第１、第２転換キーは、’＊’キーまたは’＃’キーから任意に選択されることを特徴としてもよい。
【００４０】
前記第１転換キーは、１回のキー入力で、’か’、’さ’、’た’及び’は’行の基本文字を濁音に転換させ、２回のキー入力で、’は’行の基本文字を半濁音に転換させることを特徴としてもよい。
【００４１】
前記第２転換キーは、１回のキー入力で、基本文字（や、ゆ、よ、つ）を拗音または促音に転換させることを特徴としてもよい。
【００４２】
前記促音は、’た’行を指定する数字キーと２回の第２転換キー入力で直接入力されることを特徴としてもよい。
【００４３】
前記第２転換キーは、２回のキー入力で基本文字（あ、い、う、え、お）を長音に転換させることを特徴としてもよい。
【００４４】
本発明の移動通信端末機の日本語入力方法は、日本語入力モードで、数字キーを利用して入力する文字の行を選択する過程と、該選択された行で、特殊キーを利用して前記入力する文字の段を選択する過程と、日本語５０音図で、前記数字キーと特殊キーのキー入力組合に対応する基本文字を表示する過程と、該表示された基本文字を転換キーを利用して濁音、半濁音、長音、促音、拗音中何れか一つに転換させる過程と、を順次行うことを特徴とする。
【００４５】
前記特殊キーは、それぞれ’い’、’う’、’え’及び’お’段を指定するためのキー中何れか一つであることを特徴としてもよい。
【００４６】
前記転換過程は、第１転換キーで基本文字を濁音または半濁音に転換させる過程と、第２転換キーで基本文字を長音、促音、拗音中何れか一つに転換させる過程と、０番の数字キーを２回押して’ん’を入力する過程と、を行うことを特徴としてもよい。
【００４７】
前記第１、第２転換キーは、’＊’キーまたは’＃’キーから任意に選択されることを特徴としてもよい。
【００４８】
前記濁音は、’か’、’さ’、’た’及び’は’行の基本文字から第１転換キーの１回入力により転換され、前記半濁音は、’は’行の文字から第１転換キーの２回入力により転換されることを特徴としてもよい。
【００４９】
前記拗音は、基本文字（や、ゆ、よ）から第２転換キーの１回入力により転換され、前記促音は、基本文字（つ）から第２転換キーの１回入力により転換されることを特徴としてもよい。
【００５０】
前記促音は、’た’行を指定する数字キーを押した後、第２転換キーを２回押して直接入力されることを特徴としてもよい。
【００５１】
前記長音は、基本文字（あ、い、う、え、お）から第２転換キーの１回入力により転換されることを特徴してもよい。
【００５２】
【発明の実施の形態】
以下、本発明の実施の形態に対し、図面を用いて説明する。
【００５３】
本発明は、図５に示された従来の文字入力装置から、キー入力のための新しいキーマトリックス構造を提案し、中央プロセッサーに内蔵されたプログラムを変更して、前記提案されたキーマトリックスによりキー入力を判断して所望のフォントを表示する。
【００５４】
図１は本発明に係る移動通信端末機のキーマトリックス構造を示した図である。
【００５５】
図示されたように、本発明に係る移動通信端末機のキーマトリックス２０は、各行の’あ’段を入力するための複数の数字キー（１−０）と、濁音と半濁音を入力するための第１転換キー２１と、一般文字より小さく表現される長音、拗音及び促音などを入力するための第２転換キー２２と、各行の’い’、’う’、’え’及び’お’段を入力するための複数の特殊キー（２３−２６）と、入力文字の種類を選択するための第３転換キー２７と、から構成されている。前記ファンクションキーと各特殊キーの配置及び数は、必要に応じて適切に変更される。
【００５６】
以下、このように構成されたキーマトリックスを利用して、本発明に係る日本語の入力方法に対して説明する。
【００５７】
本発明は、第３転換キー２７を利用して、１回のキー入力で文字種類の変換を遂行する。即ち、本発明で第３転換キー２７はトグルキーであるため、第３転換キー２７を反復して押す場合、平仮名と片仮名間の入力状態が転換される。前記第３転換キー２７は、全ての入力を選択された文字種類（平仮名）に維持させたり、一つの文字のみに該当させることもでき、平仮名を基準文字として入力した後、最終的に該当の平仮名を片仮名に変換する時に使用することもできる。
【００５８】
また、第３転換キー２７は、文字種類の転換以外に数字／英文字／特殊文字／エモ−ティコン等の文字セットを選択する機能を付加的に遂行することもできる。
【００５９】
本実施形態では、第３転換キー２７で一つの文字種類（ｅ．ｇ．，平仮名）を選択すると、他の文字種類（ｅ．ｇ．，片仮名）を選択するまでは、選択された文字種類を維持するようにする。従って、第３転換キー２７を利用して先に入力する文字の種類、例えば、平仮名を選択する。
【００６０】
平仮名が選択されると、数字キー（１〜０）に割り当てられた各行の’あ’段中、入力する文字に該当する数字キーを押す。もし、入力する文字が’あ’段に属する文字であると、それで文字入力は終了される。しかし、入力する文字が’い’、’う’、’え’及び’お’段間に属する文字であると、数字キーと特殊キーとの組合で該当の文字を指定することで５０音図に属する基本文字を入力することができる。即ち、２回のキー入力で５０音図に属する全ての文字を入力することができる。
【００６１】
本発明で、現在の数字キー（１〜０）は日本語入力状態を表すため、前記数字キーを何回も押して数字を表示することもできる。このような機能は、本発明を使用することで得られる付加的な利点であり、設計者の意図によって多様化される。
【００６２】
このように２回のキー入力で５０音図中、所望の基本文字を入力した状態で、入力する文字が濁音であると、第１転換キー（’＊’キー）２１を１回押し、半濁音の場合は第１転換キー２１を２回押す。また、入力しようとする文字が長音／促音／拗音であると、文字を小さなフォントに転換するために第２転換キー（’＃’キー）２２を押す。
【００６３】
又、５０音図には含まれるが、数字キーに割り当てられない’ん’の場合は、設計者が任意にキー組合を割り当てることができる。本実施例では、０番数字キーを２回押して’ん’を入力する。これは、’あ’行の慣習上、’ん’が’わ’の次にあると見なされ、最後の割当の０番数字キーを２回押して割り当てると、使用者が記憶しやすいためである。
【００６４】
このようなキーマトリックス構造を利用して、本発明は、平仮名と片仮名を利用した全ての日本語を入力することができ、文字入力のためのキーの組合も従来に比べて相当に減る。また、メニューキーのような付加的なキー操作が減るため、連続的な入力が可能になる。従って、本発明は、一つの文段の日本語を入力するにおいて、数十回のキー入力を減らし得るという結果をもたらす。
【００６５】
本発明の最も大きな利点は、本発明が提供しようとする日本語入力方法が日本語使用者に親しみやすいという点である。日本語文法の基本である５０音図の配列を熟知しているという仮定は従来の日本語入力方法からも分かる。即ち、所望の文字が何番目の行に位置しているかを知れば、従来の日本語入力方法を使用することができ、実際にほとんどの日本語使用者は５０音図配列に慣れている。
【００６６】
従って、本発明の日本語入力方法による５０音図の文字表示も特別な熟達なしに使用することができる。そして、濁音と半濁音の選択は、実際手記による日本語記録と同様に、５０音図内の基本文字を記録した後で追加することであるため、本発明の流れとその脈絡を共にしていて、新しく熟練すべき内容ではない。
【００６７】
また、長音／促音／拗音は、その文法的意味は異なるとしても、入力の側面では、小さな文字を使用するという面で全て同様であるため、５０音図の文字を記録して第２転換キー（’＃’キー）をもう一回入力することのみを記憶すれば、本発明の日本語入力方法を初めて接した使用者であるとしても、短時間に使用方法を熟練することができる。
【００６８】
従って、本発明に係る日本語入力方法は、端末機を利用した文字伝送や電子メールの交換は勿論で、チャットにおいても非常に有用であり、主な顧客層に相当な魅力として受け取られる。
【００６９】
以下、このような日本語入力方法を通して、実際に日本語を入力しながら本発明の具体的な実施形態に対して説明する。
【００７０】
本発明に係る日本語入力方法を利用して、”おもしろい”という文章を入力する場合は、次のように数字キー（１−０）と特殊キー（２３−２６）との組合が利用される。
【００７１】
’お’は、数字キー１を押した後、特殊キー２６を押す。
【００７２】
’も’は、数字キー７を押した後、特殊キー２６を押す。
【００７３】
’し’は、数字キー３を押した後、特殊キー２３を押す。
【００７４】
’ろ’は、数字キー９を押した後、特殊キー２６を押す。
【００７５】
’い’は、数字キー１を押した後、特殊キー２３を押す。
【００７６】
このようにして、５字の平仮名を１０回のキー入力で全て入力し得るため、従来の１９回のキー入力に比べると、ほぼ半分のキー入力に減ることとなる。もし、入力中、特殊キーを誤って押した場合、正しい特殊キーを再び押すことで訂正が可能であるため、誤打に対する修正も従来の反復的な入力による修正に比べて非常に容易である。例えば、’ろ’を入力しようと数字キー９を押した後、キーを誤って押して特殊キー２３を選択した場合、単純に特殊キー２６を再び押すことで訂正が可能である。
【００７７】
しかし、前記各機能は、本発明の利点の一部に過ぎなく、濁音、半濁音及び小さな文字（長音、促音、拗音）の入力においては、その効用が一層優れている。
【００７８】
’’がざだば’’行に該当する濁音の場合、まず、各数字キーと各特殊キーを利用して、’かさたは’行に係る５０音図の各基本文字を入力した後、第１転換キー（’＊’キー）２１を押して該当の基本文字に’゛’を追加する。
【００７９】
’ぱ’行のような半濁音の場合は、数字キー６と特殊キー２３−２６を利用して、’は’行に係る基本文字を入力した後、第１転換キー（’＊’キー）２１を２回押して前記基本文字に’゜’を追加する。従って、実際の文字を使うように所望の濁音／半濁音を完成し得るため、キー入力が非常に容易になり、他のメニューを通して所望の文字を検索することで文章入力が遅れることはない。
【００８０】
また、’きゃく’、’ぎゅにゅう’、’しょさい’等に使用される’ゃ、ゅ、ょ’等の拗音は、’や’行を利用した一般的な５０音図入力を通して所望の文字を入力した後、第２転換キー（’＃’キー）２２を押して入力する。即ち、’ゃ’は数字キー８→第２転換キー２２を順に押して入力し、’ゅ’は数字キー８→特殊キー（ｓ２）２４→第２転換キー２２を順に押して入力し、’ょ’は数字キー８→特殊キー（ｓ４）２６→第２転換キー２２を順に押して入力する。即ち、最大３回のキー入力で拗音が入力される。
【００８１】
そして、’いっかい’、’まっすぐ’、’いっぱい’等の単語のように強く発音する促音（’っ’）は、’た’を表す数字キー４→’う’段を表す特殊キー（ｓ２）２４→小さな文字を表す第２転換キー２２を押して入力することができる。また、前記促音’っ’は’た’行のみに存在するため、数字キー４を押した後、第２転換キー２２を２回押して入力することができる。
【００８２】
また、’あ’段を小さく表示する長音（’ぁぃぅぇぉ’）は、平仮名より片仮名で主に使用され、特に、外国語を日本式発音で表記するために使用されることが多い。この場合、長音は、まず、文字を完成した後、第２転換キー２２を押して入力することができる。
【００８３】
最後に、片仮名の入力は、前記平仮名の実施形態と同様な方法で入力されるため、具体的な説明は省略する。即ち、第３転換キー２７を利用して文字の入力種類を平仮名から片仮名に変更した後、前記のような方法を利用して所望の文字を入力すればよい。
【００８４】
本発明は、平仮名と片仮名間の入力転換が非常に容易である。従って、従来には、入力時間を短縮するために、片仮名で入力すべき内容を平仮名で代用することがしばしばあったが、本発明では、文字種類の転換が容易であるため、入力時間に影響を与えずに正確な文字表現が可能である。
【００８５】
以上説明したように、本発明は、日本語使用者なら誰でも知っている段と行で割り当てられた各数字キーと特殊キーとの組合と、追加的な転換キーの入力を利用して、基本５０音図は勿論で、濁音、半濁音、長音、促音及び拗音に至る全ての日本語を入力することができる。
【００８６】
図２は本発明に係る日本語入力方法を通して、入力可能な全ての文字のキー入力順序を示した図である。
【００８７】
図示されたように、基本５０音図は２回のキー入力が必要であり、濁音の場合、基本５０音図のキー入力後、１回の第１転換キー（’＊’キー）の入力が必要であるため、３回のキー入力で充分であることがわかる。
【００８８】
半濁音の場合、基本５０音図を選択した後、’＊’キーを２回押せばいいため、最大４回のキー入力が必要であるが、同じキーを連続して押すため、遅延時間はそれほど長くない。その他の長音、促音、拗音は、５０音図を選択した後、１回の第２転換キー（’＃’キー）の入力が必要であるため、最大３回のキー入力で充分である。この時、促音は、前記のような２つの方法で入力されることを示した。
【００８９】
また、本発明の実施形態では、説明の便宜のために、第１転換キーは’＊’キーで、第２転換キーは’＃’で構成したが、必要に応じて、第１、第２転換キーは’＊’キーまたは’＃’キーから任意に選択して使用することができる。
【００９０】
そして、括弧で表した文字は現在使用されてない古語であり、該古語も本発明を利用して簡単に入力することができる。
【００９１】
【発明の効果】
以上説明したように、本発明は、新しい複数のファンクションキーを有するキーマトリックスを提案し、該提案されたキーマトリックスを通する所定のキー入力によって、メニューの転換なしに、平仮名と片仮名を含む全ての日本語を入力する。
【００９２】
従って、本発明に係る日本語入力方法においては、従来の方法に比べて入力の便宜性を極大化し得て、使用方法に慣れやすいという効果がある。
【００９３】
且つ、メニューの転換なしに、平仮名と片仮名で構成された全ての文字を最小限のキー操作で入力し得るため、今後開発される文字通信に能動的に対処し得るという効果がある。
【図面の簡単な説明】
【図１】本発明に係る日本語入力用キーマトリックス構造を示した図である。
【図２】図１に示されたキーマトリックス構造で日本語を入力するためのキー入力方法を示した図である。
【図３】平仮名の基本５０音図を示した図である。
【図４】片仮名の基本５０音図を示した図である。
【図５】従来日本語入力装置を示したブロック図である。
【図６】従来日本語入力用キーマトリックス構造を示した図である。
【符号の説明】
２０：キーマトリックス
２１：第１転換キー
２２：第２転換キー
２３−２６：特殊キー
２７：第３転換キー
【図１】
2004062863.tif 000003
【図２】
2004062863.tif 000004
【図３】
2004062863.tif 000005
【図４】
2004062863.tif 000006
【図５】
2004062863.tif 000007
【図６】
2004062863.tif 000008